(57)【要約】【課題】本発明は、下部に収納された生花に対して空気の入れ替えができる生花の収納袋ある。  【解決手段】生花の収納袋は、頂部１３の隅部２０ａから底部１４の収納部２０ｂに到る側部の形状が曲線状であり、２枚重ねのフィルムにおいて、収納袋を上下逆に配設したとき、それらの収納袋は点対称であり、且つ、フィルムの縁部から底部１４に到る個所に廃棄個所１０が形成される。【選択図】図１
2011225218.tif 000002
【特許請求の範囲】
【請求項１】
頂部に開口部と底部に開口部を有し、前記頂部の隅部から前記底部の収納部に到る側部の形状が曲線状である生花の収納袋であって、
２枚重ねのフィルムにおいて、前記収納袋を上下逆に配設したときそれらの収納袋は点対称であり、且つ、前記フィルムの縁部から底部に到る個所に廃棄個所を形成することを特徴とする生花の収納袋。
【請求項２】
底部から頂部の方向に所定幅で空気孔を適宜の間隔で形成してなることを特徴とする請求項１の生花の収納袋。
【請求項３】
２枚重ねのフィルムにおいて、頂部に開口部と底部に開口部を有し、且つ前記頂部の隅部から前記底部の収納部に到る側部の形状が曲線状であり、その収納袋を上下逆に配設したときそれらの収納袋は点対称であり、且つ、前記フィルムの縁部から底部に到る個所に廃棄個所を形成して、熱刃で前記フィルムを熱シールと切断をして収納袋を製作することを特徴とする生花の収納袋の製作方法。
【請求項４】
２枚重ねのフィルムは、予め収納袋の底部から頂部の方向に所定幅で空気孔が適宜の間隔で形成されていることを特徴とする請求項３の生花の収納袋の製作方法。
【発明の詳細な説明】
【技術分野】
【０００１】
本発明は、生花を収納する収納袋とその製作方法に関する。
【背景技術】
【０００２】
従来の生花の収納袋１２（１２Ａ，１２Ｂ）は、平坦にしたとき台形の中空状であり、頂部１３と底部１４に開口が設けてあり、頂部の開口から生花を挿入する。そして、この収納袋は、よく知られている製作方法を図３を参照して説明する。
【０００３】
フィルム幅が収納袋１２の高さであるロールに巻かれた長いフィルム１０は、両端を狭着された状態で搬送されながら、先ず、ロール体に植設してある鉄針（図示略）を前記フィルムに押し当てて、空気孔１５を、フィルム幅Ｗに対して両端からＬを除く幅ｗで、適宜の間隔で形成する。また、同様に、他の１枚のフィルムにも、空気孔１５を形成する。
【０００４】
そして、前記２枚のフィルム１０，１０を重ね合わせて、両端を狭着した状態で搬送しながら、図３に示すように、上下逆向きに配列され、互いの側部が共通した２個の台形状に形成された熱刃（図示略）を、前記２枚のフィルムに押圧すると、前記２枚のフィルムは熱シールで溶着されると共に切断されて、頂部と底部が開口である台形状の２個の収納袋１２Ａ，１２Ｂが、順次形成される。
【発明の概要】
【発明が解決しようとする課題】
【０００５】
前記のように、収納袋１２の高さであるフィルム幅Ｗのロールに巻かれたフィルム１０を２枚の重ねて、台形状の収納袋を製作するに当たって、上下逆に台形を配置し、台形状に溶断して収納袋を製作するので、フィルムを廃棄する個所がなく、無駄なく製作できるメリットはある。
【０００６】
しかし、生花を収納するに当たって、台形状の収納袋の下部が狭くなり、生花が重なった状態で収納されるので、花弁が落下したりして花弁を傷つけるという課題がある。
また、収納袋に空気孔１５を穿設するに当たって、図３に示すように、収納袋の頂部１３と底部１４から幅Ｌの無孔部１７，１８が形成される。
特に、底部１４からの無孔部１８は、下部（底部付近）における生花に対して、空気の入れ替えができず、生花を長持ちさせることに影響を与える。
そこで、本願の収納袋は、前記課題を解消する生花の収納袋と、その製作方法を提供するものである。
【課題を解決するための手段】
【０００７】
請求項１の生花の収納袋は、頂部に開口部と底部に開口部を有し、前記頂部の隅部から前記底部の収納部に到る側部の形状が曲線状である。そして、この生花の収納袋は、２枚重ねのフィルムにおいて、収納袋を上下逆に配設したとき、それらの収納袋は点対称であり、且つ、前記フィルムの縁部から底部に到る個所に廃棄個所が形成される。
また、請求項２の生花の収納袋は、底部から頂部の方向に所定幅で空気孔を適宜の間隔で形成してあるので、底部において空気の入れ替えができ、生花の鮮度保持に有意義である。
【０００８】
また、請求項３の生花の収納袋の製作方法は、２枚重ねのフィルムにおいて、頂部に開口部と底部に開口部を有し、且つ前記頂部の隅部から前記底部の収納部に到る側部の形状が曲線状であり、その収納袋を上下逆に配設したとき、それらの収納袋は点対称であり、且つ、前記フィルムの縁部から底部に到る個所に廃棄個所を形成して、熱刃で前記フィルムを熱シールと切断をすることによって、２個の収納袋が製作される。
また、請求項４の生花の収納袋の製作方法は、２枚重ねのフィルムが予め収納袋の底部から頂部の方向に所定幅で空気孔が適宜の間隔で形成されているものを使用して生花の収納袋を製作する。
【発明の効果】
【０００９】
本願発明の生花の収納袋は、側部が曲線であるので、下部が大きな容積となり、生花を傷めることなく収納することができる。また、底部から頂部の方向に所定幅で空気孔を適宜の間隔で形成することができるので、生花の鮮度保持を図ることができる。
【図面の簡単な説明】
【００１０】
【図１】ワイングラス状の収納袋の型取り方法である。
【図２】収納袋の平面図と生花を収納した姿態図である。
【図３】従来の台形状の収納袋の型取り方法である。
【発明を実施するための形態】
【００１１】
本願発明を図を参照して説明する。本願の生花の収納袋は、図２（Ａ）に示すように、平面視、ワイングラス形状であり、頂部１３に開口部と、底部１４に開口部を有して、頂部１３の開口部から生花を収納すると、図２（Ｂ）に示す姿態になる。このワイングラス状の収納袋２に入れられた生花は、従来の台形状に比して、下部が大きな容積となり、生花を傷めることなく収納することができる。
【００１２】
尚、この収納袋の主たる寸法を例示すると、頂部１３の開口部の幅Ｌt（＝２５０ｍｍ），底部１４の開口部の幅Ｌｄ（＝５０ｍｍ）、収納袋の全高さＨ（＝３００ｍｍ）である。
また、この収納袋の側部２０は、前記頂部１３の隅部２０ａから前記底部１４に到る途中の収納部２０ｂまでの形状が曲線状であり、具体的には、頂部からの高さＨ１（＝５０ｍ）の箇所において幅Ｌ１（＝２３５mm）であり、高さＨ２（＝１００ｍｍ）の箇所において幅Ｌ２（＝２１８ｍｍ）、高さＨ３（＝１５０ｍｍ）の箇所において幅Ｌ３（＝１９５ｍｍ）、高さＨ４（＝２００ｍｍ）の箇所において幅Ｌ４（＝１３２ｍｍ）、高さＨ５（＝２５０ｍｍ）の箇所において幅Ｌ５（＝６５ｍｍ）であり、底部（高さＨ５（＝３００ｍｍ））は、幅Ｌ５（＝５０ｍｍ）である。なお、前記収納部２０ｂから底部１４における形状２３は、任意である。
【００１３】
次に、本願のワイングラス状の収納袋２の製作方法について説明する。
先ず、収納袋のフィルム１における型取りについて説明すると、フィルム１の幅が収納袋２の高さより広い（Ｈ+Ｌ０）ロールに巻かれた長いフィルム１において、ワイングラス状の収納袋２Ａ，２Ｂを上下逆に配置して、側部２０の曲線部を互いに合わせて共通にすると、双方の収納袋２Ａ，２Ｂは点対称に配置され、且つ、これらの収納袋２Ａ，２Ｂは、底部１４からフィルムの縁部にかけて、高さＬ0が廃棄個所１０（図１の斜線部）として形成される。
なお、空気孔５は、前記収納袋の底部１４から高さＢの領域において、適宜の間隔で穿設されているが、その上の頂部１３に到る個所は空気孔５が穿設されていない無孔領域７である。この無孔領域７には、ラベル等を良好に貼着することができ、従来の図３に示すように、上下に２箇所の無孔領域１７，１８が形成されるのと異なり、１箇所である。
【００１４】
本願の収納袋２（２Ａ，２Ｂ）は、前記した型取りでフィルム１から連続して製作するものであり、具体的には、幅（Ｈ+Ｌ0）のフィルムの両端を狭着した状態で搬送しながら、先ず、ロール体に植設してある鉄針（図示略）を前記フィルムに押し当てて、空気孔５を、フィルム幅（Ｈ+Ｌ0）に対して両端からＬ0を除く幅Ｂで、適宜の間隔で形成する。また、同様に、他の１枚のフィルムにも、空気孔５を形成する。
尚、この形成された空気孔５は、底部１４から幅Ｂの領域に形成され、底部１４の付近に空気孔が形成されない従来の収納袋と異なる。この空気孔５が形成されることにより、底部１４に収納される生花に空気を供給することができ、生花の鮮度保持が向上する。
【００１５】
そして、前記空気孔５が穿設されたフィルム１，１を２枚重ねて、両端を狭着した状態で搬送しながら、上下逆向きに配列され、互いの側部の形状が共通である２個の収納袋の形状に形成された熱刃（図示略）を、前記２枚のフィルムに押圧すると、前記２枚のフィルムは熱シールで溶着されると共に切断されて、頂部１３と底部１４が開口であり、側部が曲線状（ワイングラス状）である２個の収納袋２Ａ，２Ｂが、順次形成される。
尚、前記フィルム１，１から熱刃で形成された前記収納袋２Ａ、２Ｂを取り除くと、底部１４から高さＬ0の廃棄個所１０（図１の斜線部）が残り、この廃棄個所１０を廃棄する。
【００１６】
このように、本願の収納袋は、２枚重ねのフィルムにおいて上下逆に配列しても、廃棄する個所の面積は小さくて済むし、特に底部の収納容積を大きく形成できるので生花を傷めることがなく、且つ、底部１４の付近に空気孔５が形成可能であるので、底部１４における生花の鮮度保持を図ることができる。
また、この収納袋は側部の曲線形状を維持すれば、熱刃の位置変更によって、収納袋の大きさを容易に変更できる。
【符号の説明】
【００１７】
１     フィルム
２      収納袋
２Ａ，２Ｂ    収納袋
２Ａ   収納袋
５      空気孔
７     無孔領域
１３    頂部
１４    底部
２０   側部
２０ａ  隅部
２０ｂ  収納部
【図１】
2011225218.tif 000003
【図２】
2011225218.tif 000004
【図３】
2011225218.tif 000005
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
頂部に開口部と、前記頂部よりも幅狭の底部に開口部を有し、前記頂部の隅部から前記底部の収納部に到る側部の形状が曲線状である生花の収納袋であって、
２枚重ねのフィルムにおいて、前記収納袋を上下逆に配設したときそれらの収納袋は点対称であり、且つ、前記頂部を通過することなく前記フィルムの縁部から底部に到る個所に廃棄個所が形成され、
前記頂部側に、前記空気孔が穿設されていない無孔領域を形成するとともに、前記底部から前記無孔領域の方向に所定幅で空気孔を適宜の間隔で形成する構成としたことを特徴とする生花の収納袋。
【請求項２】
前記２枚重ねのフィルムにおいて、前記収納袋を上下逆に配設したときそれらの収納袋はワイングラス形状であるとともに点対称あり、且つ、前記頂部を通過することなく前記フィルムの縁部から底部に到る個所に、前記底部よりも幅狭の廃棄個所が形成されることを特徴とする請求項１の生花の収納袋。
【請求項３】
２枚重ねのフィルムにおいて、頂部に開口部と、前記頂部よりも幅狭の底部に開口部を有し、且つ前記頂部の隅部から前記底部の収納部に到る側部の形状が曲線状であり、その収納袋を上下逆に配設したときそれらの収納袋は点対称であり、且つ、前記頂部を通過することなく前記フィルムの縁部から底部に到る個所に廃棄個所を形成して、前記頂部側に、前記空気孔が穿設されていない無孔領域を形成するとともに、前記底部から前記無孔領域の方向に所定幅で空気孔を適宜の間隔で形成する構成の収納袋を製作するに際して、
前記フィルムに２枚の収納袋を上下逆に配置して、両収納袋の側部の曲線部を互いに合わせて共通としつつ、互いに点対称となるよう前記フィルムの長さ方向に並列し、
前記空気孔を、前記フィルムの両端部を除く中央部に形成することで、前記フィルムの両端部に、前記頂部側の無孔領域と、前記底部側の廃棄個所を、前記フィルムの長さ方向に並列して形成し、
前記空気孔が穿設されたフィルムを２枚重ねて、熱刃により、前記２枚のフィルムの両側を溶着すると共に切断し、且つ前記収納袋から前記廃棄個所を除去することを特徴とする生花の収納袋の製作方法。
【請求項４】
前記２枚重ねのフィルムにおいて、前記収納袋を上下逆に配設したときそれらの収納袋はワイングラス形状であるとともに点対称あり、且つ、前記頂部を通過することなく前記フィルムの縁部から底部に到る個所に、前記底部よりも幅狭の廃棄個所が形成されることを特徴とする請求項３の生花の収納袋の製作方法。
【手続補正２】
【補正対象書類名】明細書
【補正対象項目名】全文
【補正方法】変更
【補正の内容】
【発明の詳細な説明】
【技術分野】
【０００１】
本発明は、生花を収納する収納袋とその製作方法に関する。
【背景技術】
【０００２】
従来の生花の収納袋１２（１２Ａ，１２Ｂ）は、平坦にしたとき台形の中空状であり、頂部１３と底部１４に開口が設けてあり、頂部の開口から生花を挿入する。そして、この収納袋は、よく知られている製作方法を図３を参照して説明する。
【０００３】
フィルム幅が収納袋１２の高さであるロールに巻かれた長いフィルム１０は、両端を狭着された状態で搬送されながら、先ず、ロール体に植設してある鉄針（図示略）を前記フィルムに押し当てて、空気孔１５を、フィルム幅Ｗに対して両端からＬを除く幅ｗで、適宜の間隔で形成する。また、同様に、他の１枚のフィルムにも、空気孔１５を形成する。
【０００４】
そして、前記２枚のフィルム１０，１０を重ね合わせて、両端を狭着した状態で搬送しながら、図３に示すように、上下逆向きに配列され、互いの側部が共通した２個の台形状に形成された熱刃（図示略）を、前記２枚のフィルムに押圧すると、前記２枚のフィルムは熱シールで溶着されると共に切断されて、頂部と底部が開口である台形状の２個の収納袋１２Ａ，１２Ｂが、順次形成される。
【発明の概要】
【発明が解決しようとする課題】
【０００５】
前記のように、収納袋１２の高さであるフィルム幅Ｗのロールに巻かれたフィルム１０を２枚の重ねて、台形状の収納袋を製作するに当たって、上下逆に台形を配置し、台形状に溶断して収納袋を製作するので、フィルムを廃棄する個所がなく、無駄なく製作できるメリットはある。
【０００６】
しかし、生花を収納するに当たって、台形状の収納袋の下部が狭くなり、生花が重なった状態で収納されるので、花弁が落下したりして花弁を傷つけるという課題がある。
また、収納袋に空気孔１５を穿設するに当たって、図３に示すように、収納袋の頂部１３と底部１４から幅Ｌの無孔部１７，１８が形成される。
特に、底部１４からの無孔部１８は、下部（底部付近）における生花に対して、空気の入れ替えができず、生花を長持ちさせることに影響を与える。
そこで、本願の収納袋は、前記課題を解消する生花の収納袋と、その製作方法を提供するものである。
【課題を解決するための手段】
【０００７】
請求項１の生花の収納袋は、頂部に開口部と、前記頂部よりも幅狭の底部に開口部を有し、前記頂部の隅部から前記底部の収納部に到る側部の形状が曲線状である生花の収納袋であって、２枚重ねのフィルムにおいて、前記収納袋を上下逆に配設したときそれらの収納袋は点対称であり、且つ、前記頂部を通過することなく前記フィルムの縁部から底部に到る個所に廃棄個所が形成され、前記頂部側に、前記空気孔が穿設されていない無孔領域を形成するとともに、前記底部から前記無孔領域の方向に所定幅で空気孔を適宜の間隔で形成する構成とした。
請求項１の生花の収納袋は、底部から無孔領域の方向に所定幅で空気孔を適宜の間隔で形成してあるので、底部において空気の入れ替えができ、生花の鮮度保持に有意義である。
また請求項２の生花の収納袋は、請求項１の生花の収納袋において、前記２枚重ねのフィルムにおいて、前記収納袋を上下逆に配設したときそれらの収納袋はワイングラス形状であるとともに点対称あり、且つ、前記頂部を通過することなく前記フィルムの縁部から底部に到る個所に、前記底部よりも幅狭の廃棄個所が形成される。
【０００８】
また、請求項３の生花の収納袋の製作方法は、２枚重ねのフィルムにおいて、頂部に開口部と、前記頂部よりも幅狭の底部に開口部を有し、且つ前記頂部の隅部から前記底部の収納部に到る側部の形状が曲線状であり、その収納袋を上下逆に配設したときそれらの収納袋は点対称であり、且つ、前記頂部を通過することなく前記フィルムの縁部から底部に到る個所に廃棄個所を形成して、前記頂部側に、前記空気孔が穿設されていない無孔領域を形成するとともに、前記底部から前記無孔領域の方向に所定幅で空気孔を適宜の間隔で形成する構成の収納袋を製作するに際して、前記フィルムに２枚の収納袋を上下逆に配置して、両収納袋の側部の曲線部を互いに合わせて共通としつつ、互いに点対称となるよう前記フィルムの長さ方向に並列し、前記空気孔を、前記フィルムの両端部を除く中央部に形成することで、前記フィルムの両端部に、前記頂部側の無孔領域と、前記底部側の廃棄個所を、前記フィルムの長さ方向に並列して形成し、前記空気孔が穿設されたフィルムを２枚重ねて、熱刃により、前記２枚のフィルムの両側を溶着すると共に切断し、且つ前記収納袋から前記廃棄個所を除去することを特徴とする。
請求項３の生花の収納袋の製作方法は、２枚重ねのフィルムに空気孔が、底部から無孔領域の方向に適宜の間隔で形成されているものを使用して生花の収納袋を製作する。
また請求項４の生花の収納袋の製作方法は、請求項３の生花の収納袋の製作方法において、前記２枚重ねのフィルムにおいて、前記収納袋を上下逆に配設したときそれらの収納袋はワイングラス形状であるとともに点対称あり、且つ、前記頂部を通過することなく前記フィルムの縁部から底部に到る個所に、前記底部よりも幅狭の廃棄個所が形成される。
【発明の効果】
【０００９】
本願発明の生花の収納袋は、側部が曲線であるので、下部が大きな容積となり、生花を傷めることなく収納することができる。また、底部から無孔領域の方向に所定幅で空気孔を適宜の間隔で形成することができるので、生花の鮮度保持を図ることができる。
【図面の簡単な説明】
【００１０】
【図１】ワイングラス状の収納袋の型取り方法である。
【図２】収納袋の平面図と生花を収納した姿態図である。
【図３】従来の台形状の収納袋の型取り方法である。
【発明を実施するための形態】
【００１１】
本願発明を図を参照して説明する。本願の生花の収納袋は、図２（Ａ）に示すように、平面視、ワイングラス形状であり、頂部１３に開口部と、底部１４に開口部を有して、頂部１３の開口部から生花を収納すると、図２（Ｂ）に示す姿態になる。このワイングラス状の収納袋２に入れられた生花は、従来の台形状に比して、下部が大きな容積となり、生花を傷めることなく収納することができる。
【００１２】
尚、この収納袋の主たる寸法を例示すると、頂部１３の開口部の幅Ｌt（＝２５０ｍｍ），底部１４の開口部の幅Ｌｄ（＝５０ｍｍ）、収納袋の全高さＨ（＝３００ｍｍ）である。
また、この収納袋の側部２０は、前記頂部１３の隅部２０ａから前記底部１４に到る途中の収納部２０ｂまでの形状が曲線状であり、具体的には、頂部からの高さＨ１（＝５０ｍ）の箇所において幅Ｌ１（＝２３５mm）であり、高さＨ２（＝１００ｍｍ）の箇所において幅Ｌ２（＝２１８ｍｍ）、高さＨ３（＝１５０ｍｍ）の箇所において幅Ｌ３（＝１９５ｍｍ）、高さＨ４（＝２００ｍｍ）の箇所において幅Ｌ４（＝１３２ｍｍ）、高さＨ５（＝２５０ｍｍ）の箇所において幅Ｌ５（＝６５ｍｍ）であり、底部（高さＨ５（＝３００ｍｍ））は、幅Ｌ５（＝５０ｍｍ）である。なお、前記収納部２０ｂから底部１４における形状２３は、任意である。
【００１３】
次に、本願のワイングラス状の収納袋２の製作方法について説明する。
先ず、収納袋のフィルム１における型取りについて説明すると、フィルム１の幅が収納袋２の高さより広い（Ｈ+Ｌ０）ロールに巻かれた長いフィルム１において、ワイングラス状の収納袋２Ａ，２Ｂを上下逆に配置して、側部２０の曲線部を互いに合わせて共通にすると、双方の収納袋２Ａ，２Ｂは点対称に配置され、且つ、これらの収納袋２Ａ，２Ｂは、底部１４からフィルムの縁部にかけて、高さＬ0が廃棄個所１０（図１の斜線部）として形成される。
なお、空気孔５は、前記収納袋の底部１４から高さＢの領域において、適宜の間隔で穿設されているが、その上の頂部１３に到る個所は空気孔５が穿設されていない無孔領域７である。この無孔領域７には、ラベル等を良好に貼着することができ、従来の図３に示すように、上下に２箇所の無孔領域１７，１８が形成されるのと異なり、１箇所である。
【００１４】
本願の収納袋２（２Ａ，２Ｂ）は、前記した型取りでフィルム１から連続して製作するものであり、具体的には、幅（Ｈ+Ｌ0）のフィルムの両端を狭着した状態で搬送しながら、先ず、ロール体に植設してある鉄針（図示略）を前記フィルムに押し当てて、空気孔５を、フィルム幅（Ｈ+Ｌ0）に対して両端からＬ0を除く幅Ｂで、適宜の間隔で形成する。また、同様に、他の１枚のフィルムにも、空気孔５を形成する。
尚、この形成された空気孔５は、底部１４から幅Ｂの領域に形成され、底部１４の付近に空気孔が形成されない従来の収納袋と異なる。この空気孔５が形成されることにより、底部１４に収納される生花に空気を供給することができ、生花の鮮度保持が向上する。
【００１５】
そして、前記空気孔５が穿設されたフィルム１，１を２枚重ねて、両端を狭着した状態で搬送しながら、上下逆向きに配列され、互いの側部の形状が共通である２個の収納袋の形状に形成された熱刃（図示略）を、前記２枚のフィルムに押圧すると、前記２枚のフィルムは熱シールで溶着されると共に切断されて、頂部１３と底部１４が開口であり、側部が曲線状（ワイングラス状）である２個の収納袋２Ａ，２Ｂが、順次形成される。
尚、前記フィルム１，１から熱刃で形成された前記収納袋２Ａ、２Ｂを取り除くと、底部１４から高さＬ0の廃棄個所１０（図１の斜線部）が残り、この廃棄個所１０を廃棄する。
【００１６】
このように、本願の収納袋は、２枚重ねのフィルムにおいて上下逆に配列しても、廃棄する個所の面積は小さくて済むし、特に底部の収納容積を大きく形成できるので生花を傷めることがなく、且つ、底部１４の付近に空気孔５が形成可能であるので、底部１４における生花の鮮度保持を図ることができる。
また、この収納袋は側部の曲線形状を維持すれば、熱刃の位置変更によって、収納袋の大きさを容易に変更できる。
【符号の説明】
【００１７】
１     フィルム
２     収納袋
２Ａ，２Ｂ    収納袋
２Ａ   収納袋
５     空気孔
７     無孔領域
１３    頂部
１４    底部
２０   側部
２０ａ 隅部
２０ｂ  収納部